(57)【要約】【課題】記念日の新聞のコピーに付加価値を加えられるようにする。【解決手段】新聞コピーセットが、新聞のコピーと、表紙とを含み、前記新聞のコピーとして、６０年間の各年について、所定の月日の新聞が発行されている年については当該月日の新聞の少なくとも一部分のコピーを含み、当該月日の新聞が発行されていない年については当該月日の代替の月日の新聞の少なくとも一部分のコピーを含み、前記表紙に、還暦を示す記載を含む題名が記載されている。【選択図】図２
2016043536.tif 000002
【特許請求の範囲】
【請求項１】
新聞のコピーと、表紙とを含み、
前記新聞のコピーとして、６０年間の各年について、所定の月日の新聞が発行されている年については当該月日の新聞の少なくとも一部分のコピーを含み、当該月日の新聞が発行されていない年については当該月日の代替の月日の新聞の少なくとも一部分のコピーを含み、
前記表紙に、還暦を示す記載を含む題名が記載されている、
新聞コピーセット。
【請求項２】
新聞の第１面にニュースが掲載され、かつ、いずれかの面にテレビ欄が掲載されている年については、前記新聞のコピーとして、第１面のコピーとテレビ欄が掲載されている面のコピーとを含み、
新聞の第１面にニュースが掲載されておらず、かつ、いずれかの面にテレビ欄が掲載されている年については、前記新聞のコピーとして、ニュースが掲載されている面のコピーとテレビ欄が掲載されている面のコピーとを含み、
新聞の第１面にニュースが掲載され、かつ、いずれの面にもテレビ欄が掲載されていない年については、前記新聞のコピーとして、第１面のコピーと社会面のコピーとを含み、
新聞の第１面にニュースが掲載されておらず、かつ、いずれの面にもテレビ欄が掲載されていない年については、前記新聞のコピーとして、社会面と、社会面以外にニュースが掲載されている面のコピーを含む、
請求項１に記載の新聞コピーセット。
【請求項３】
前記新聞のコピーに記載されている文字が所定の大きさよりも小さい部分について、当該部分の記載に対応する記載が、前記所定の大きさ以上の文字にて示されている、請求項１または請求項２に記載の新聞コピーセット。
【請求項４】
前記新聞のコピーのページのうち少なくともいずれか１ページに、新聞発行年に応じた記載が加えられている、請求項１から３のいずれか一項に記載の新聞コピーセット。
【請求項５】
前記新聞のコピーのページのうち少なくとも１ページに、バーコードの表示が加えられている、請求項１から４のいずれか一項に記載の新聞コピーセット。
【発明の詳細な説明】
【技術分野】
【０００１】
本発明は、新聞コピーセットに関する。
【背景技術】
【０００２】
誕生日や結婚記念日など、記念日に話題になった事柄に対する興味に応える技術の１つとして、記念日の新聞を生成するための技術が提案されている。
例えば、特許文献１に記載の新聞出力装置は、出力したい新聞の発行日を入力するための操作ボードと、操作ボードにより入力された発行日を表示する表示装置と、所定期間に発行された新聞データを蓄積したデータ蓄積装置と、新聞データを印刷するプリンタと、これらを制御する制御部とにより構成される。そして、制御部は、操作ボードにより入力された発行日を表示装置に表示させるとともに、この発行日をキーとして、データ蓄積装置に蓄積された新聞データの検索・読み込みを行い、この読み込んだ新聞データをプリンタに印刷させる。
【先行技術文献】
【特許文献】
【０００３】
【特許文献１】特開２００８−２９９８７２
【発明の概要】
【発明が解決しようとする課題】
【０００４】
特許文献１に記載の新聞出力装置によれば、ユーザは、記念日を発行日として入力するという簡単な操作で、入力した発行日の新聞を得ることができる。当該新聞を読むことで、ユーザは、記念日に話題になった事柄について情報を得られる。記念日の新聞またはそのコピーの生成に、さらに付加価値を加えることができれば、例えば記念日のプレゼントなど、より多様な用途に利用可能となる。
【０００５】
本発明は、記念日の新聞のコピーに付加価値を加えることができる新聞コピーセットを提供する。
【課題を解決するための手段】
【０００６】
本発明の第１の態様によれば、新聞コピーセットは、新聞のコピーと、表紙とを含み、前記新聞のコピーとして、６０年間の各年について、所定の月日の新聞が発行されている年については当該月日の新聞の少なくとも一部分のコピーを含み、当該月日の新聞が発行されていない年については当該月日の代替の月日の新聞の少なくとも一部分のコピーを含み、前記表紙に、還暦を示す記載を含む題名が記載されている。
【０００７】
新聞の第１面にニュースが掲載され、かつ、いずれかの面にテレビ欄が掲載されている年については、前記新聞のコピーとして、第１面のコピーとテレビ欄が掲載されている面のコピーとを含み、新聞の第１面にニュースが掲載されておらず、かつ、いずれかの面にテレビ欄が掲載されている年については、前記新聞のコピーとして、ニュースが掲載されている面のコピーとテレビ欄が掲載されている面のコピーとを含み、新聞の第１面にニュースが掲載され、かつ、いずれの面にもテレビ欄が掲載されていない年については、前記新聞のコピーとして、第１面のコピーと社会面のコピーとを含み、新聞の第１面にニュースが掲載されておらず、かつ、いずれの面にもテレビ欄が掲載されていない年については、前記新聞のコピーとして、社会面と、社会面以外にニュースが掲載されている面のコピーを含むようにしてもよい。
【０００８】
前記新聞のコピーに記載されている文字が所定の大きさよりも小さい部分について、当該部分の記載に対応する記載が、前記所定の大きさ以上の文字にて示されているようにしてもよい。
【０００９】
前記新聞のコピーのページのうち少なくともいずれか１ページに、新聞発行年に応じた記載が加えられているようにしてもよい。
【００１０】
前記新聞のコピーのページのうち少なくとも１ページに、バーコードの表示が加えられているようにしてもよい。
【００１１】
前記新聞のコピーに含まれる写真の少なくとも１つが、他の写真に差替えられているようにしてもよい。
【発明の効果】
【００１２】
本発明によれば、記念日の新聞のコピーに付加価値を加えることができる。
【図面の簡単な説明】
【００１３】
【図１】本発明の一実施形態における新聞コピーセットの表紙の例を示す説明図である。
【図２】同実施形態における新聞コピーセットの目次の例を示す説明図である。
【図３】同実施形態の新聞コピーセットにおける新聞のコピーの配置例を示す説明図である。
【図４】同実施形態における、新聞の記載に対応する、より大きい記載の配置例を示す説明図である。
【図５】同実施形態における新聞コピーセットの生成手順の例を示す説明図である。
【発明を実施するための形態】
【００１４】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における新聞コピーセットの表紙の例を示す説明図である。同図において、新聞コピーセット１００の表紙には、「還暦お誕生日新聞」との題名と、還暦を迎える人の氏名および敬称「○○○○様」とが記載されている。
【００１５】
本実施形態における新聞コピーセット１００は、還暦用に特化された新聞コピーセットであり、０歳から５９歳までの６０年間の誕生日に応じた新聞のコピーと、図１に例示される表紙とを含む。例えば、新聞コピーセット１００は、０歳から５９歳までの６０年間の誕生日に応じた新聞のコピーが、表紙、目次、裏表紙および背表紙を有する冊子にまとめられている。さらに、新聞コピーセット１００が戦後（例えば１９４６年以降）の出来事を纏めた紙面を含むなど、上記の構成以外の構成を含んでいてもよい。
【００１６】
また、表紙に記載されている題名は、「還暦お誕生日新聞」の例における「還暦」との文字のように、還暦を示す記載を含んでいる。このように、新聞コピーセット１００の題名に還暦を示す記載が含まれていることで、還暦用のものであることを明示することができる。例えば、新聞コピーセット１００をプレゼントされた人（すなわち、還暦を迎えた人）は、題名を見て、還暦のお祝いであることを把握し得る。
【００１７】
なお、新聞コピーセット１００の表紙に記載される題名は、固定の題名となっていてもよい。例えば、新聞コピーセット１００の表紙の題名が、必ず「還暦お誕生日新聞」となっていてもよい。このように題名が固定されていることで、新聞コピーセット１００を製造業者に発注する発注者は、題名を指定する必要無しに新聞コピーセット１００を発注することができる。この点において、発注者の負担を軽減することができる。
【００１８】
また、新聞コピーセット１００の表紙の色が、例えば臙脂色など、赤色系統の色になっていてもよい。これにより、新聞コピーセット１００を見る人に還暦を想起させることができ、この点において還暦の雰囲気を高めることができる。
さらに、新聞コピーセット１００の表紙の色が、臙脂色のように落ち着いた色となっていることで、新聞コピーセット１００を見る人に落ち着いた雰囲気を感じさせることができる。
【００１９】
同様に、新聞コピーセット１００の裏表紙および背表紙の少なくともいずれか一方の色が、赤色系統の色になっていてもよい。さらには、新聞コピーセット１００の裏表紙および背表紙の少なくともいずれか一方の色が、臙脂色など落ち着いた色となっていてもよい。
また、新聞コピーセット１００が、例えば朱色など、赤色系統の色の風呂敷に包まれていてもよい。これにより、風呂敷を見る人に還暦を想起させることができ、この点において還暦の雰囲気をさらに高めることができる。
さらに、風呂敷の色が、例えば朱色など鮮やかな色（特に、表紙よりも彩度が高い色）となっていることで、風呂敷を見る人の注意が風呂敷および新聞コピーセット１００に向けられることが期待される。
【００２０】
また、新聞コピーセット１００が、例えば桐の箱などの箱に入れられていてもよい。これにより、新聞コピーセット１００の高級感を高めることができる。なお、新聞コピーセット１００が箱に入り、かつ、風呂敷で包まれる場合、新聞コピーセット１００が箱に入れられ、箱ごと風呂敷に包まれていてもよい。あるいは、新聞コピーセットが風呂敷に包まれ、風呂敷ごと箱に入れられていてもよい。
【００２１】
図２は、新聞コピーセット１００の目次の例を示す説明図である。同図において、新聞コピーセット１００の目次には、表紙の場合と同様、「還暦お誕生日新聞」との題名と、還暦を迎える人の氏名および敬称「○○○○様」とが記載されている。さらに、０歳の誕生日である１９５４年７月２２日から、５９歳の誕生日である２０１３年７月２２日までの各誕生日について、当該誕生日分の新聞の日付と、当該誕生日分の新聞のコピーのページ番号とが記載されている。なお、誕生日の月日は、所定の月日の例に該当する。
【００２２】
ここで、新聞コピーセット１００は、誕生日の新聞が発行されている年については当該月日（すなわち、当該年における誕生日）の新聞のコピーを含む。
例えば、新聞コピーセット１００は、誕生日の朝刊が発行されている年については、誕生日の朝刊のコピーを含む。一方、誕生日の朝刊が休刊であり、かつ、誕生日の夕刊が発行されている年については、新聞コピーセット１００は、誕生日の夕刊のコピーを含む。さらに、誕生日の朝刊、夕刊ともに休刊である年については、新聞コピーセット１００は、当該誕生日後で直近の新聞発行日について、朝刊が発行されていれば朝刊のコピーを含み、朝刊が発行されていなければ夕刊のコピーを含む。
【００２３】
図２では、誕生日が休刊日である場合の例が、行Ｌ１１に示されている。同図の例では、１９８５年について、誕生日である７月２２日の朝刊、夕刊ともに休刊となっており、一方、誕生日の翌日である７月２３日については新聞（朝刊および夕刊のうち少なくともいずれか）が発行されている。そこで、新聞コピーセット１００は、１９８５年について、誕生日である７月２２日の朝刊のコピーに代えて、その翌日である７月２３日の新聞のコピーを含む。これに伴い、図２に示される目次において、行Ｌ１１のように、１９８５年の誕生日分の新聞の日付が７月２３日となっている。
なお、以下では、誕生日の新聞と、誕生日に新聞が発行されていない場合の代替日の新聞とを総称して、「誕生日等の新聞」と称する。
【００２４】
なお、新聞コピーセット１００が、誕生日等の新聞のコピーとして、当該誕生日等の新聞の一部分のみのコピーを含んでいてもよいし、当該誕生日等の新聞全体のコピーを含んでいてもよい。
例えば、新聞コピーセット１００は、新聞のコピーとして、第１面のコピーと、テレビ欄が掲載されている面のコピーとを含むようにしてもよい。なお、以下では、新聞の面のうちテレビ欄が掲載されている面を「テレビ欄の面」と称する。
【００２５】
図３は、新聞コピーセット１００における新聞のコピーの配置例を示す説明図である。同図（Ａ）には、第６８ページおよび第６９ページにおける新聞のコピーの配置例が示されている。同図（Ａ）において、第６８ページには、１９８７年７月２２日の新聞のテレビ欄の面のコピーが配置され、第６８ページには、１９８８年７月２２日の新聞の第１面のコピーが配置されている。また、同図（Ｂ）において、第７０ページには、１９８８年７月２２日の新聞のテレビ欄の面のコピーが配置され、第６８ページには、１９８９年７月２２日の新聞の第１面のコピーが配置されている。
【００２６】
例えば、新聞コピーセット１００に含まれる１枚の紙の表面に、新聞の第１面のコピーが印刷され、同じ紙の裏面に、当該新聞のテレビ欄の面のコピーが印刷されている。そして、図３の例において、右側のページに第１面のコピーが掲載され、めくって左側のページにテレビ欄が掲載されている。このように、１回の誕生日について、新聞コピーセット１００の２ページ分を用いて新聞のコピーが掲載されている。これにより、図２の例においてページ番号「１」、「３」、「５」、・・・と２ページ毎の番号が示されている。
あるいは、新聞コピーセット１００において、見開きの左側のページに新聞の第１面のコピーが掲載され、右側のページに同じ新聞のテレビ欄の面のコピーが掲載されるなど、図３の例と異なる配置となっていてもよい。
【００２７】
ここで、新聞の第１面には、重大ニュースが掲載されていることが多い。従って、新聞コピーセット１００が、誕生日等の新聞の第１面のコピーを含んでいることで、誕生日に話題になっていた事柄について情報を提供することができる。
例えば、還暦を迎えた本人が新聞コピーセット１００を見る場合、自らの誕生日に話題になった事柄に興味を持つことが考えられる。また、新聞コピーセット１００が、複数年分の誕生日等の新聞の第１面のコピーを含んでいることで、還暦を迎えた本人が新聞コピーセット１００を見る場合、それぞれの年について自らの思い出を思い出しながら記事を読むなど、新聞コピーセット１００に記載されている記事に、より深い興味を持つことが考えられる。さらに、新聞コピーセット１００が、複数の年について情報を得ることで、還暦を迎えた本人など新聞コピーセット１００を見る人は、時代の流れを把握することができる。
このように、新聞コピーセット１００では、誕生日について複数年分の新聞のコピーを提示することで、記念日の新聞のコピーに付加価値を加えることができる。
【００２８】
また、新聞コピーセット１００は、誕生日等の新聞のテレビ欄を掲載することで、誕生日に話題になった事柄に関する情報の１つとして、当時放送されていた番組に関する情報を提供することができる。さらに、新聞コピーセット１００を見る人が、テレビ欄に記載されている番組名をきっかけに、当時の記憶を思い出すことが期待される。
さらに、新聞コピーセット１００が、複数年分の誕生日等の新聞のテレビ欄を掲載していることで、新聞コピーセット１００を見る人は、それぞれの年について、番組に関する情報を得ることができ、また、当時の記憶を思い出すことが期待される。複数の年について情報を得ることで、還暦を迎えた本人など新聞コピーセット１００を見る人は、時代の流れを把握することができる。
【００２９】
なお、誕生日等の新聞にテレビ欄が掲載されていない場合、新聞コピーセット１００が、当該新聞のコピーとして、テレビ欄の面のコピーに代えて社会面のコピーを含むようにしてもよい。社会面には、第１面と同様、重大ニュースが掲載されていることが多い。従って、新聞コピーセット１００が、誕生日等の新聞の社会面のコピーを含んでいることで、第１面のコピーを含むのと同様、誕生日に話題になっていた事柄について情報を提供することができる。
【００３０】
なお、誕生日等の新聞の第１面が全面広告となっている場合など、第１面にニュースが掲載されていない場合、新聞コピーセット１００が、当該新聞のコピーとして、第１面のコピーに代えて、ニュースが掲載されている面のコピーを含むようにしてもよい。例えば、新聞コピーセット１００が、誕生日等の新聞の社会面のコピーとテレビ欄の面のコピーとを含むようにしてもよい。また、誕生日等の新聞の第１面にニュースが掲載されておらず、かつ、テレビ欄の面もない場合、新聞コピーセット１００が、誕生日等の新聞の社会面のコピーと、社会面以外でニュースが掲載されている面のコピーとを含むようにしてもよい。
【００３１】
また、図３（Ａ）の領域Ａ１１には、第６９ページに第１面が掲載されている１９８８年７月２２日に関連して、「○○○○様３４歳のお誕生日」との記載が加えられている。また、図３（Ｂ）の領域Ａ１２には、第７１ページに第１面が掲載されている１９８９年７月２２日に関連して、「○○○○様３５歳のお誕生日」との記載が加えられている。
これら、「○○○○様３４歳のお誕生日」との記載や、「○○○○様３５歳のお誕生日」との記載は、新聞発行年に応じた記載の例に該当する。
【００３２】
但し、新聞のコピーのページに加えられる新聞発行年に応じた記載は、年齢の記載に限らない。例えば、「○○○○様△△小学校ご入学の年」など、還暦を迎える人に関連する出来事の記載が、新聞発行年に応じた記載として加えられていてもよい。また、例えば、「□□博覧会開催の年」など、還暦を迎える人に関連する出来事に限らずその年に起きた出来事が、新聞発行年に応じた記載として加えられていてもよい。
新聞発行年に応じた記載は、当時のことを思い出すきっかけとなる。すなわち、新聞コピーセット１００の新聞のコピーのページに、新聞発行年に応じた記載が加えられていることで、新聞コピーセット１００を見る人に、当時のことを思い出すきっかけを提供することができる。
【００３３】
なお、新聞のコピーに記載されている文字が所定の大きさよりも小さい部分について、当該部分の記載に対応する記載が、所定の大きさ以上の文字にて示されていてもよい。
図４は、新聞の記載に対応する、より大きい記載の配置例を示す説明図である。同図の例において、見開きの左側のページに新聞のコピーが掲載されている。そして、見開きの右側のページには、左側のページから抜粋された記事が、より大きい文字で掲載されている。
このように、新聞コピーセット１００が、新聞のコピーに掲載されている記事を、より大きい文字で示すことで、新聞コピーセット１００を見る人は、小さい字を読むのが困難な場合でも、より容易に記事を読むことができる。
【００３４】
なお、新聞のコピーの記事が文語で記載されている場合、新聞コピーセット１００に、当該記事の内容が口語で示されていてもよい。例えば、図４の例において、見開きの右側のページに、抜粋された記事のより大きい文字での掲載に加えて、あるいは代えて、左側のページの記事の口語での表記が掲載されていてもよい。
【００３５】
なお、より大きい文字での記事を表示する方法や、口語で記事を表示する方法は、図４の例のように新聞コピーセット１００に直接掲載する方法に限らない。例えば、新聞のコピーのページに、バーコードの表示が加えられていてもよい。そして、例えばスマートフォンなどの機器で当該バーコードを撮影すると、当該機器の表示画面に、より大きい文字で、または、口語で、記事が表示されるようにしてもよい。
このように、スマートフォンなどの機器が、より大きい文字での記事の表示や口語での記事の表示を行うことで、新聞コピーセット１００自らは、これらの表示を行う必要がない。これにより、新聞コピーセット１００のページ数の増加を防止することができる。
【００３６】
なお、新聞コピーセット１００に含まれる新聞のコピーにおいて、１つ以上の写真が他の写真に差替えられていてもよい。また、新聞コピーセット１００に含まれる新聞のコピーにおいて、記事の一部が他の記事に置き換えられていてもよい。
例えば、新聞のコピーに含まれる写真の１つが、還暦を迎える人の写真に置き換えられていてもよい。また、置き換えられた写真に関する記事の題名が「○○○○様、還暦おめでとうございます」といった題名に置き換えられていてもよい。さらに、写真および題名を置き換えられた記事の内容が、新聞コピーセット１００の発注者から還暦を迎える人へのメッセージに置き換えられていてもよい。
【００３７】
次に、図５を参照して新聞コピーセット１００の生成手順について説明する。
図５は、新聞コピーセット１００の生成手順の例を示す説明図である。以下では、新聞コピーセット生成システムが図５の処理を自動的に行う場合を例に説明するが、処理の少なくとも一部を人が行うようにしてもよい。
【００３８】
図５の処理において、新聞コピーセット生成システムは、還暦を迎える人の氏名の入力を受け付ける（ステップＳ１０１）。例えば、新聞コピーセット生成システムは、インターネット（Internet）のサーバ装置を含んで構成される。そして、新聞コピーセット生成システムは、インターネットに接続されたクライアント装置に入力画面を表示させ、ユーザ入力される氏名を取得する。例えば、発注者のコンピュータがクライアント装置として用いられ、発注者が、還暦を迎える人の氏名を入力する。
【００３９】
また、新聞コピーセット生成システムは、還暦を迎える人の生年月日の情報を取得する（ステップＳ１０２）。例えば、還暦を迎える人の氏名の場合と同様、新聞コピーセット生成システムは、発注者がクライアント装置に入力する生年月日の情報を取得する。
そして、新聞コピーセット生成システムは、ステップＳ１０２で得られた生年月日から５９歳の誕生日まで、６０年間の各誕生日を基準に、掲載する新聞を決定する（ステップＳ１０３）。例えば、新聞コピーセット生成システムは、各年月日について朝刊、夕刊それぞれの発行の有無を記録したデータベースを備え、新聞発行の有無を確認する。そして、新聞コピーセット生成システムは、誕生日の朝刊が発行されている年については、誕生日の朝刊の第１面およびテレビ欄の画面を、掲載する新聞として決定する。一方、誕生日の朝刊が発行されていない場合、新聞コピーセット生成システムは、誕生日の朝刊より後で発行されている直近の新聞を、掲載する新聞として決定する。
【００４０】
次に、新聞コピーセット生成システムは、ステップＳ１０２で掲載する新聞に決定した新聞の印刷用データを取得する（ステップＳ１０４）。
また、新聞コピーセット生成システムは、ステップＳ１０１で得られた氏名、および、ステップＳ１０２で得られた生年月日に基づいて、表紙および目次の印刷用データを生成する（ステップＳ１０５）。ここで、題名が「還暦お誕生日新聞」に固定されていることで、発注者は題名を入力する必要がない。この点で、発注者の負担を軽減させることができる。
【００４１】
また、新聞コピーセット生成システムは、図３における「○○○○様３４歳のお誕生日」との例のように、新聞発行年に応じた追加記載の内容、および、追加記載の要求を受け付ける（ステップＳ１０６）。そして、新聞コピーセット生成システムは、追加記載の要求の有無を判定する（ステップＳ１０７）。追加記載の要求があったと判定した場合（ステップＳ１０７：ＹＥＳ）、新聞コピーセット生成システムは、ステップＳ１０６で受け付けた追加記載を、該当する新聞の該当紙面の該当箇所へ挿入する（ステップＳ１０８）。
【００４２】
また、新聞コピーセット生成システムは、上記のように、新聞の写真または記事の少なくともいずれかを差し替えるための写真や記事、および、差替の要求を受け付ける（ステップＳ１０９）。そして、新聞コピーセット生成システムは、差替の要求の有無を判定する（ステップＳ１１０）。差替の要求があったと判定した場合（ステップＳ１１０：ＹＥＳ）、新聞コピーセット生成システムは、ステップＳ１０９で受け付けた写真または記事の少なくともいずれかを、該当する新聞の該当紙面の該当箇所の写真または記事の少なくともいずれかと差し替える（ステップＳ１１１）。
【００４３】
次に、新聞コピーセット生成システムは、新聞のコピー、目次、表紙、裏表紙および背表紙をコピーする（ステップＳ１１２）、そして、新聞コピーセット生成システムは、ステップＳ１１２で印刷したコピー、目次、裏表紙および背表紙を製本して、新聞コピーセット１００を生成する（ステップＳ１１３）。
ステップＳ１１３の後、図５の処理を終了する。
一方、ステップＳ１０７において、追加記載の要求が無かったと判定した場合（ステップＳ１０７：ＮＯ）、ステップＳ１０９へ進む。
一方、ステップＳ１１０において、差替の要求が無かったと判定した場合（ステップＳ１１０：ＮＯ）、ステップＳ１１２へ進む。
【００４４】
以上のように、新聞コピーセット１００は、新聞のコピーと、表紙とを含む。そして、新聞コピーセット１００は、新聞のコピーとして、６０年間の各年について、所定の月日の新聞が発行されている年については当該月日の新聞の少なくとも一部分のコピーを含み、当該月日の新聞が発行されていない年については当該月日の代替の月日の新聞の少なくとも一部分のコピーを含む。また、新聞コピーセット１００の表紙に、還暦を示す記載を含む題名が記載されている。
【００４５】
このように、新聞コピーセット１００では、誕生日について複数年分の新聞のコピーを提示することで、記念日の新聞のコピーに付加価値を加えることができる。
例えば、新聞コピーセット１００が、複数年分の誕生日等の新聞の第１面のコピーを含んでいることで、還暦を迎えた本人が新聞コピーセット１００を見る場合、それぞれの年について自らの思い出を思い出しながら記事を読むなど、新聞コピーセット１００に記載されている記事に、より深い興味を持つことが考えられる。さらに、新聞コピーセット１００が、複数の年について情報を得ることで、還暦を迎えた本人など新聞コピーセット１００を見る人は、時代の流れを把握することができる。
また、新聞コピーセット１００の題名に還暦を示す記載が含まれていることで、還暦用のものであることを明示することができる。例えば、新聞コピーセット１００をプレゼントされた人は、題名を見て、還暦のお祝いであることを把握し得る。
【００４６】
また、新聞の第１面にニュースが掲載され、かつ、いずれかの面にテレビ欄が掲載されている年については、新聞コピーセット１００は、新聞のコピーとして、第１面のコピーとテレビ欄が掲載されている面のコピーとを含む。また、新聞の第１面にニュースが掲載されておらず、かつ、いずれかの面にテレビ欄が掲載されている年については、新聞コピーセット１００は、新聞のコピーとして、ニュースが掲載されている面のコピーとテレビ欄が掲載されている面のコピーとを含む。また、新聞の第１面にニュースが掲載され、かつ、いずれの面にもテレビ欄が掲載されていない年については、新聞コピーセット１００は、新聞のコピーとして、第１面のコピーと社会面のコピーとを含む。また、新聞の第１面にニュースが掲載されておらず、かつ、いずれの面にもテレビ欄が掲載されていない年については、新聞コピーセット１００は、新聞のコピーとして、社会面と、社会面以外にニュースが掲載されている面のコピーを含む。
【００４７】
上述したように、新聞の第１面には、重大ニュースが掲載されていることが多い。従って、新聞コピーセット１００が、誕生日等の新聞の第１面のコピーを含んでいることで、誕生日に話題になっていた事柄について情報を提供することができる。
また、新聞コピーセット１００が、誕生日等の新聞のテレビ欄を掲載することで、誕生日に話題になった事柄に関する情報の１つとして、当時放送されていた番組に関する情報を提供することができる。さらに、新聞コピーセット１００を見る人が、テレビ欄に記載されている番組名をきっかけに、当時の記憶を思い出すことが期待される。
【００４８】
また、社会面には、第１面と同様、重大ニュースが掲載されていることが多い。従って、新聞コピーセット１００が、誕生日等の新聞の社会面のコピーを含んでいることで、第１面のコピーを含むのと同様、誕生日に話題になっていた事柄について情報を提供することができる。
また、新聞コピーセット１００が、社会面以外にニュースが掲載されている面のコピーを含むことで、上述した第１面のコピーを含む場合や、社会面のコピーを含む場合と同様、誕生日に話題になっていた事柄について情報を提供することができる。
【００４９】
また、新聞コピーセット１００において、新聞のコピーに記載されている文字が所定の大きさよりも小さい部分について、当該部分の記載に対応する記載が、所定の大きさ以上の文字にて示されているようにしてもよい。
このように、新聞コピーセット１００が、新聞のコピーに掲載されている記事を、より大きい文字で示すことで、新聞コピーセット１００を見る人は、小さい字を読むのが困難な場合でも、より容易に記事を読むことができる。
【００５０】
また、新聞コピーセット１００において、新聞のコピーのページのうち少なくともいずれか１ページに、新聞発行年に応じた記載が加えられていてもよい。
このように、新聞コピーセット１００の新聞のコピーのページに、新聞発行年に応じた記載が加えられていることで、新聞コピーセット１００を見る人に、当時のことを思い出すきっかけを提供することができる。
【００５１】
また、新聞のコピーのページのうち少なくとも１ページに、バーコードの表示が加えられていてもよい。
これにより、新聞のコピーの文字が小さい場合に、より大きい文字での記事をスマートフォンなどの機器に表示させることができ、新聞コピーセット１００自らは、これらの表示を行う必要がない。これにより、新聞コピーセット１００のページ数の増加を防止することができる。
【００５２】
また、新聞コピーセット１００において、新聞のコピーに含まれる写真の少なくとも１つが、他の写真に差替えられていてもよい。例えば、新聞のコピーに含まれる写真の１つが、還暦を迎える人の写真に置き換えられていてもよい。
このように、新聞のコピーに含まれる写真が他の写真に差替えられていることで、新聞コピーセット１００を見る人が、新聞コピーセット１００に、より興味を持つことが期待される。
【００５３】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５４】
１００  新聞コピーセット
【図１】
2016043536.tif 000003
【図２】
2016043536.tif 000004
【図３】
2016043536.tif 000005
【図４】
2016043536.tif 000006
【図５】
2016043536.tif 000007